(57)【要約】【課題】施工下地に対して建築用パネルが固定されるとともに、その取付及び取り外しを容易な構成とした建築用パネルの取付構造を提案することを目的とする。【解決手段】施工下地１と建築用パネル２それぞれに、建築用パネル２を係着させるための係着手段として、突設された固定用係止部材１０及び凹設された係止部２０、又は、凹設された固定用係止部材１１及び突設された係止部２１が設けられる。この係着手段により、建築用パネル２をスライドさせることで、建築用パネル２が脱着可能となる。【選択図】図１
2009191537.tif 000002
【特許請求の範囲】
【請求項１】
施工下地に複数枚の建築用パネルを敷設するとともに、隣接する該建築用パネル同士の間に目地溝を形成し、それぞれの目地溝には、前記施工下地面に固着される目地受け部材と、該目地溝の開口部から挿入して該目地受け部材に着脱可能に結合させる目地部材とを設けて、前記建築用パネルを前記施工下地面に固定させる建築用パネルの取付構造において、
前記目地部材を前記目地受け部材から取り外したときに、前記建築用パネルを前記目地受け部材側に移動させることで係着が解除される、相互に着脱可能な係着手段を、前記建築用パネルの裏面と前記施工下地面のそれぞれの対応箇所に対応させて設けることを特徴とする、建築用パネルの取付構造。
【請求項２】
請求項１において、
前記建築用パネルを、前記目地部材を前記目地受け部材から取り外したときに前記目地受け部材側に移動可能な大きさの切欠部を形成した構造とすることを特徴とする、建築用パネルの取付構造。
【請求項３】
請求項２において、
前記建築用パネルが、前記切欠部を、前記係着手段によって係止される第１方向に形成される前記目地溝側に有し、
前記係着手段は、
一方が、前記第１方向に向かって先端を折曲させたフックで構成され、
他方が、該フックの先端を係止させる係止溝部と、該係止溝部に嵌入される該フックの先端の出し入れを許容する開口部とを有するとともに、前記係止溝部に対して前記開口部を前記第１方向における前記切欠部と逆側に連設させたフック係止穴で構成され、
前記建築用パネルを前記切欠部側に移動させることで、前記フックを前記フック係止穴から抜き出して、前記係着手段による係着を解除させることを特徴とする、建築用パネルの取付構造。
【請求項４】
請求項２において、
前記建築用パネルが、前記切欠部を、前記係着手段によって係止される第１方向に対して垂直な第２方向に形成される前記目地溝側に有し、
前記係着手段は、
一方が、前記第１方向に向かって先端を折曲させたフックで構成されるとともに、
他方が、該フックの先端を係止させる係止溝部と、該係止溝部に嵌入される該フックの先端の出し入れを許容する開口部とを有するとともに、前記係止溝部に対して前記開口部を前記第２方向における前記切欠部と逆側に連設させたフック係止穴で構成され、
前記建築用パネルを前記切欠部側に移動させることで、前記フックを前記フック係止穴から抜き出して、前記係着手段による係着を解除させることを特徴とする、建築用パネルの取付構造。
【請求項５】
請求項２において、
前記建築用パネルが、前記係着手段によって係止される第１方向と、該第１方向に対して垂直な第２方向のそれぞれに形成される前記目地溝側に、前記切欠部である第１及び第２の切欠部を有し、
前記係着手段は、
一方が、前記第１方向に向かって先端を折曲させたフックで構成されるとともに、
他方が、該フックの先端を係止させる係止溝部と、該係止溝部に嵌入される該フックの先端の出し入れを許容する開口部とを有するとともに、前記係止溝部に対して前記開口部を前記第１及び第２方向における前記切欠部と逆側に連設させたフック係止穴で構成され、
前記建築用パネルを前記第１及び第２切欠部側それぞれに対して順番に移動させることで、前記フックを前記フック係止穴から抜き出して、前記係着手段による係着を解除させることを特徴とする、建築用パネルの取付構造。
【請求項６】
請求項１において、
前記係着手段は、
前記施工下地面に設けられる係着手段が、前記施工下地面を基準として前記目地受け部材の表面以上の高さとなる位置に構成されるとともに、
前記建築用パネルの裏面に設けられる係着手段が、前記目地受け部材の表面以上の高さとなる位置で係着することを特徴とする、建築用パネルの取付構造。
【請求項７】
請求項１乃至請求項６のいずれか一項において、
前記目地受け部材が前記建築用パネルの辺縁に向かって突設された雄実部を有し、
前記建築用パネルの辺縁に前記雄実部が挿入される雌実部を有することを特徴とする、建築用パネルの取付構造。
【発明の詳細な説明】
【技術分野】
【０００１】
本発明は、複数枚の建築用パネルによって施工下地を覆うように敷設する建築用パネルの取付構造に関するもので、特に、建築用パネル間に乾式の目地部材を埋め込む建築用パネルの取付構造に関する。
【背景技術】
【０００２】
従来より、建築物の屋内における装飾性や機能性を高めることを目的として、建築用パネルを壁や床を覆うように敷設する建築用パネル取付構造が利用されている。即ち、部屋の審美性を満たすために、薄層表面化粧合板やタイルなどの、装飾性を備えた建築用パネルが用いられ、又、より良い住環境を提供するために、照明や耐火性などの機能性を備えた建築用パネルが用いられる。このような建築用パネルを用いた建築用パネル取付構造の１つとして、特許文献１に、床や壁に貼り付けられたタイルによるものが提案されている。
【０００３】
この特許文献１の工法においては、施工下地に貼り付けるタイルに対して、その縁に溝を設けることにより、施工下地に固着されたジョイナーにタイルの縁の溝を嵌合させることで、タイルの位置決めを行うことができる。そして、ジョイナーを利用して位置決めを行うことで、互いの間隔が一定となるようにタイルが施工下地に敷設されると、施工下地への接着固定を行うために、タイルと施工下地の間に発泡プラスチックが注入される。そして、ジョイナーの設置部分が目地部分となるため、この目地部分にモルタルが塗り込まれる。
【０００４】
このような湿式目地による施工方式以外にも、例えば、特許文献２の外壁パネルの構造のように、乾式目地による施工方式においても、ジョイナーを利用してパネルの位置決めを行うものがある。この特許文献２における構造においては、パネルの位置決めを行うジョイナーを、目地部材となるガスケット材を嵌め込まれる目地受け部材としても利用している。
【特許文献１】特開昭５９−１５４２５３号公報
【特許文献２】特開平０８−２１８５０２号公報
【発明の開示】
【発明が解決しようとする課題】
【０００５】
上述の特許文献１による構造も含め、従来の建築用パネルの取付構造においては、建築用パネルを床や壁などの施工下地に接着固定するものが多く、再施工を行う場合において、施工下地に固着された建築用パネルを取り外すことが困難である。又、室内の壁や天井や床などに設置される建築用パネルとして用いられる建築用パネルにおいては、機能性を備える場合には、その機能劣化による部分的な取り換えが、又、審美性の目的とされる場合には、部屋の模様替えなどを目的に部分的な取り換えが、それぞれ必要となる。
【０００６】
しかしながら、上記のように接着固定されることで施工されている場合、取り換えを必要とする部分の建築用パネルだけを取り外すことが困難であるだけでなく、無理に取り外すことによって、建築用パネルを破損してしまい、再利用することができなくなる。特に、目地幅を狭くした建築用パネルの取付構造においては、建築用パネルの部分的な取り外しが更に困難なものとなる。
【０００７】
このような問題に鑑みて、本発明は、施工下地に対して建築用パネルが固定されるとともに、その取付及び取り外しを容易な構成とした建築用パネルの取付構造を提案することを目的とする。
【課題を解決するための手段】
【０００８】
上記目的を達成するために、本発明の建築用パネルの取付構造は、施工下地に複数枚の建築用パネルを敷設するとともに、隣接する該建築用パネル同士の間に目地溝を形成し、それぞれの目地溝には、前記施工下地面に固着される目地受け部材と、該目地溝の開口部から挿入して該目地受け部材に着脱可能に結合させる目地部材とを設けて、前記建築用パネルを前記施工下地面に固定させる建築用パネルの取付構造において、前記目地部材を前記目地受け部材から取り外したときに、前記建築用パネルを前記目地受け部材側に移動させることで係着が解除される、相互に着脱可能な係着手段を、前記建築用パネルの裏面と前記施工下地面のそれぞれの対応箇所に対応させて設けることを特徴とする。
【０００９】
このように、前記係着手段を設けることで、前記目地受け部材から前記目地部材を取り外した後、前記建築用パネルをスライドさせて前記係着手段による係止を解除させて、当該建築用パネルの取付構造の一部の前記建築用パネルを前記施工下地より取り外すことができる。
【００１０】
このような建築用パネルの取付構造において、前記建築用パネルを、前記目地部材を前記目地受け部材から取り外したときに前記目地受け部材側に移動可能な大きさの切欠部を形成した構造としてもよい。
【００１１】
このように、前記切欠部を前記建築用パネルに形成することで、前記係着手段による前記建築用パネルの着脱を行う際に、前記切欠部によって、前記建築用パネルと前記目地受け部材との緩衝を防ぐことができる。
【００１２】
このとき、前記建築用パネルが、前記切欠部を、前記係着手段によって係止される第１方向に形成される前記目地溝側に有するものとし、又、前記係着手段は、一方が、前記第１方向に向かって先端を折曲させたフックで構成され、他方が、該フックの先端を係止させる係止溝部と、該係止溝部に嵌入される該フックの先端の出し入れを許容する開口部とを有するとともに、前記係止溝部に対して前記開口部を前記第１方向における前記切欠部と逆側に連設させたフック係止穴で構成されるものとして、前記建築用パネルを前記切欠部側に移動させることで、前記フックを前記フック係止穴から抜き出して、前記係着手段による係着を解除させるものとしてもよい。
【００１３】
このように構成されるとき、前記フックを、前記第１方向に対して垂直となる第２方向に延ばした形状とするとともに、前記開口部が前記第２方向を長手方向とした開口形状としたものとしてもよい。そして、前記フック係止穴が前記建築用パネルに設けられるとき、前記建築用パネルの前記第２方向の幅全体に前記開口部及び前記係止溝部が形成されるものとしてもよい。
【００１４】
又、前記建築用パネルが、前記切欠部を、前記係着手段によって係止される第１方向に対して垂直な第２方向に形成される前記目地溝側に有するものとし、前記係着手段は、一方が、前記第１方向に向かって先端を折曲させたフックで構成されるとともに、他方が、該フックの先端を係止させる係止溝部と、該係止溝部に嵌入される該フックの先端の出し入れを許容する開口部とを有するとともに、前記係止溝部に対して前記開口部を前記第２方向における前記切欠部と逆側に連設させたフック係止穴で構成されるものとして、前記建築用パネルを前記切欠部側に移動させることで、前記フックを前記フック係止穴から抜き出して、前記係着手段による係着を解除させるものとしてもよい。
【００１５】
このような構成において、前記フック及び前記フック係止穴それぞれが、前記第２方向に断続的に設けられるものとしてもよい。
【００１６】
又、前記建築用パネルが、前記係着手段によって係止される第１方向と、該第１方向に対して垂直な第２方向のそれぞれに形成される前記目地溝側に、前記切欠部である第１及び第２の切欠部を有するものとし、前記係着手段は、一方が、前記第１方向に向かって先端を折曲させたフックで構成されるとともに、他方が、該フックの先端を係止させる係止溝部と、該係止溝部に嵌入される該フックの先端の出し入れを許容する開口部とを有するとともに、前記係止溝部に対して前記開口部を前記第１及び第２方向における前記切欠部と逆側に連設させたフック係止穴で構成されるものとして、前記建築用パネルを前記第１及び第２切欠部側それぞれに対して順番に移動させることで、前記フックを前記フック係止穴から抜き出して、前記係着手段による係着を解除させるものとしてもよい。
【００１７】
このとき、前記開口部に、前記係着手段による前記建築用パネルの係着時に前記第１方向への前記建築用パネルの移動を規制した構造を設けるものとし、前記施工下地から前記建築用パネルを取り外す際に、前記建築用パネルを前記第２方向に移動させた後に前記第１方向に移動させて、前記係着手段による係止を解除するものとしてもよい。又、前記係止溝部に、前記係着手段による前記建築用パネルの係着時に前記第２方向への前記建築用パネルの移動を規制した構造を設けるものとし、前記施工下地から前記建築用パネルを取り外す際に、前記建築用パネルを前記第１方向に移動させた後に前記第２方向に移動させて、前記係着手段による係止を解除するものとしてもよい。
【００１８】
更に、本発明の建築用パネルの取付構造において、前記係着手段は、前記施工下地面に設けられる係着手段が、前記施工下地面を基準として前記目地受け部材の表面以上の高さとなる位置に構成されるとともに、前記建築用パネルの裏面に設けられる係着手段が、前記目地受け部材の表面以上の高さとなる位置で係着するものとしてもよい。
【００１９】
このように、前記施工下地面に設けられる係着手段を、前記施工下地面を基準として前記目地受け部材の表面以上の高さとなる位置に構成することで、前記建築用パネルが前記目地受け部材よりも高い位置に設置されることとなり、前記係着手段による前記建築用パネルの着脱を行う際に、前記建築用パネルと前記目地受け部材との緩衝を防ぐことができる。
【００２０】
このような建築用パネルの取付構造において、前記建築用パネルが、前記施工下地に固着されるとともに、その表面が前記施工下地面を基準として前記目地受け部材の表面以上の位置となる基板パネルと、該基板パネルに対して着脱可能となる化粧パネルと、を有するとともに、前記基板パネルの表面と前記化粧パネルの裏面のそれぞれの対応箇所に、前記化粧パネルを着脱可能に係着させる係着手段を対応させて設けた構造としてもよい。
【００２１】
このように構成する建築用パネルの取付構造において、前記建築用パネルを前記化粧パネルと前記基板パネルに分離した構造とするとともに、前記基板パネルの取付下地面からの高さが、前記目地受け部材の高さ以上となるものとすることで、前記建築用パネルの前記化粧パネルと前記目地受け部材との緩衝を防ぐことができる。そして、前記化粧パネルと前記基板パネルとの間に係着手段を設けることで、前記係着手段による前記化粧パネルの着脱を行うことができる。これにより、前記目地受け部材から前記目地部材を取り外した後、前記化粧パネルをスライドさせて前記係着手段による係止を解除させて、当該建築用パネルの取付構造の一部の前記化粧パネルを前記基板パネルより取り外すことができる。
【００２２】
上述のいずれかに記載の建築用パネルの取付構造において、前記目地受け部材が前記建築用パネルの辺縁に向かって突設された雄実部を有し、前記建築用パネルの辺縁に前記雄実部が挿入される雌実部を有するものとしてもよい。
【００２３】
このとき、前記切欠部の反対側に前記雄実部と係合する前記雌実部を、前記建築用パネルに設けることで、前記目地受け部材によって、前記建築用パネルの位置決め及び前記施工下地への固着補助が行われるものとしてもよい。
【発明の効果】
【００２４】
本発明によると、建築用パネルの裏面と施工下地面の対応箇所に係着手段を設けることにより、目地部材を目地受け部材から取り外した後に、建築用パネルを目地受け部材側に移動させて、建築用パネルの係着を簡単に解除させることができる。これにより、着脱を目的とする建築用パネル周辺の目地部材を取り外すことで、簡単に建築用パネルの着脱ができ、建築用パネルの部分着脱が可能となる。このとき、取り外した建築用パネル及び目地部材については、係着及び嵌着を解除して取り外されるため、破損させずに取り外すことができ、それぞれの再利用が可能である。
【発明を実施するための最良の形態】
【００２５】
＜基本構成＞
本発明の建築用パネルの取付構造の特徴部分の基本構成について、図１を参照して説明する。図１（ａ）及び図１（ｂ）はそれぞれ、本発明の建築用パネルの取付構造における係止手段の構造を示す概略断面図である。尚、以下では、建築用パネルを敷設する施工面を壁面とする場合を説明するものとし、又、図１（ａ）及び図１（ｂ）それぞれにおいて、紙面上側が天井側となるものとする。更に、本明細書において、建築用パネルの取付構造における係止手段として施工下地に設けられる側のものを、「パネル固定用係止部材」と呼び、建築用パネルに設けられる側のものを、「係止部」と呼ぶものとする。
【００２６】
本発明の建築用パネルの取付構造は、その基本構成として、図１（ａ）又は図１（ｂ）に示すように、施工下地１に建築用パネル２を係着させるための構造を備える。即ち、図１（ａ）に示す構造においては、施工下地１の施工面（建築用パネル２と対向する面）に、Ｌ字状の断面となるフックで構成されたパネル固定用係止部材１０が突設されるとともに、建築用パネル２が、施工下地１上のパネル固定用係止部材１０を係止するフック係止穴として構成される係止部２０を備える。又、図１（ｂ）に示す構造においては、フックとして構成される係止部２１が、建築用パネル２の施工下地１側に突設されるとともに、施工下地１の施工面に、建築用パネル２の係止部２１を係止するフック係止穴として構成されるパネル固定用係止部材１１が凹設される。
【００２７】
そして、図１（ａ）に示す構造では、建築用パネル２に設けられた係止部２０が、その深さがパネル固定用係止部材１０の高さ以上となることでパネル固定用係止部材１０全体の出し入れを許容した構成となる開口部２０ａと、この開口部２０ａに挿入されたパネル固定用係止部材１０を係止する溝となる係止溝部２０ｂとを備える。即ち、建築用パネル２の裏面（施工下地１と対向する面）において、開口部２０ａが設けられる部分に、パネル固定用係止部材１０の施工面側（建築用パネル２と対向する面）表面の面積よりも大きな開口面が設けられることとなる。
【００２８】
又、この開口部２０ａとの隣接位置には、開口部２０ａの底面を延長させる側に掘削されたような形状となる係止溝部２０ｂが、建築用パネル２の裏面下に設けられ、この係止溝部２０ｂを覆う建築用パネル２の裏面部分が鈎形状となる。更に、係止溝部２０ｂが、天井側に向かって掘削された形状となるとともに、パネル固定用係止部材１０が、施工下地１より突起させた先端側における折曲させた部分が、天井側に向かって延びるように構成される。このようにパネル固定用係止部材１０と係止溝部２０ｂとを構成することで、係止溝部２０ｂがパネル固定用係止部材１０に係止して、建築用パネル２が施工下地１に係着する。
【００２９】
一方、図１（ｂ）に示す構造では、施工下地１にパネル固定用係止部材１１が凹設されるため、パネル固定用係止部材１１が、図１（ａ）の係止部２０と同様の構成となる。即ち、パネル固定用係止部材１１は、建築用パネル２の係止部２１全体が挿入される開口部１１ａと、この開口部１１ａに挿入された係止部２１を係止する溝となる係止溝部１１ｂとを備える。
【００３０】
そして、この図１（ｂ）に示す構造では、図１（ａ）の構造とは逆に、パネル固定用係止部材１１の係止溝部１１ｂが、床側に向かって掘削された形状となるとともに、建築用パネル２の係止部２１が、裏面より突起させた先端側における折曲させた部分が、床側に向かって延びるように構成される。このように係止溝部１１ｂと係止部２１とを構成することで、係止部２１がパネル固定用係止部材１１の係止溝部１１ｂに係止して、建築用パネル２が施工下地１に係着する。
【００３１】
尚、基本構成においては、図１に示すような、建築用パネル２を係止させる方向（換言すれば、床面に対して垂直な方向に相当する。以下、単に「縦方向」と呼ぶ。）に、建築用パネル２をスライドさせて施工下地１に係止させる構成を例に挙げて、その特徴となる部分を説明したが、第２の実施形態で後述するように、建築用パネル２を係止させる方向に対して垂直な方向（換言すれば、床面に対して平行な方向に相当する。以下、単に「横方向」と呼ぶ。）にスライドさせて施工下地１に係止させるものにおいても、その係止させる部分の構造は同様である。
【００３２】
即ち、図１（ａ）における開口部２０ａと係止溝部２０ｂとの配置関係、及び、図１（ｂ）における開口部１１ａと係止溝部１１ｂとの配置関係が、図１では縦方向に隣接しているものを、横方向に隣接させたものとすることにより実現できる。尚、以下の各実施形態では、その説明を簡単にするため、図１（ａ）のように、施工下地１にフックなどの構成となるパネル固定用係止部材１０が突設され、建築用パネル２にフック係止穴などの構成となる係止部２０が凹設されたものについて説明するが、図１（ｂ）のように、施工下地１にパネル固定用係止部材１１が凹設され、建築用パネル２に係止部２１が突設されるものとしてもよい。
【００３３】
＜建築用パネルの取付構造例＞
上述のように、パネル固定用係止部材に係止部を係止させることで施工下地に対して固着される建築用パネルを用いた、建築用パネルの取付構造の一例を、図２に示す。この図２に示す建築用パネルの取付構造について、その施工方法と共に、図面を参照して以下に説明する。尚、図３及び図４は、図２に示す建築用パネルの取付構造に対する各施工状態を示す概略図である。又、以下では、各実施形態において共通となる建築用パネルの取付構造の概要について簡単に説明するものとし、本発明の特徴部分となる係着手段の詳細については、各実施形態において後述する。よって、図３は、その説明を簡単なものとするため、パネル固定用係止部材を省略したものとしている。
【００３４】
尚、以下では、壁面に対して建築用パネルを取付けた例を示し、それに応じて床面に対して垂直、水平となる方向を縦、横として示しているが、床面や天井面に対して建築用パネルを取付けた場合には、縦及び横の方向が限定されるものではない。又、以下で示す上下方向は、図２の構造のように、施工下地に対して対面した状態における手前側を上方、施工下地側を下方として説明している。
【００３５】
１．全体の構成
図２に示す建築用パネルの取付構造Ａは、施工下地１となる壁面に対して部分的に施工した例を示しており、複数枚（図例では１２枚）の建築用パネル２を縦横にそれぞれ並列配置して、施工下地１を覆うように建築用パネル２を取付施工したものである。そして、互いに隣接する建築用パネル２が離間して敷設されることで、建築用パネル２の間に目地溝が設けられ、この目地溝にカバー目地部材５０及び中間目地部材５１を配置して、格子状となる目地を形成する。
【００３６】
このとき、カバー目地部材５０が横方向の目地を形成するとともに、中間目地部材５１が縦方向の目地を形成する。即ち、縦方向には、隣接する２枚の建築用パネル２がカバー目地部材５０を介在して敷設され、横方向には、隣接する２枚の建築用パネル２が中間目地部材５１を介在して敷設される。そして、中間目地部材５１は、縦方向に並んで敷設された建築用パネル２と同様、縦方向に隣接するもの同士の間に隙間が形成されるよう、離間されて設置される。これにより、縦方向に隣接する中間目地部材５１の間には、カバー目地部材５０を挿入するための隙間が形成され、隣接する２本の中間目地部材５１がカバー目地部材５０を介在して設置される。
【００３７】
又、縦横にそれぞれ並列配置させた複数枚の建築用パネル２の最外周端部に沿って縦見切り部材５２及び横見切り部材５３を配設するようにしている。即ち、複数枚の建築用パネル２が配置された壁構造において、この壁構造の外枠部分が、縦見切り部材５２及び横見切り部材５３により構成される。そして、各見切り部材５２，５３の四隅の突合せ部には、コーナーキャップ６が該突合せ部を覆うように、それぞれ固着されている。
【００３８】
この図２のように構成される建築用パネルの取付構造例では、カバー目地部材５０及び中間目地部材５１がそれぞれ、後述のカバー目地受け部材５４及び中間目地受け部材５５（図３及び図４参照）に着脱可能に係合保持され、又、縦見切り部材５２及び横見切り部材５３がそれぞれ、後述の縦見切り受け部材５６及び横見切り受け部材５７（図３及び図４参照）に着脱可能に係合保持されている。尚、図２において、符号３は、天井面、符号４は、腰壁を示している。
【００３９】
２．施工手順
このような構成となる図２に示す建築用パネルの取付構造Ａの施工手順について、図３及び図４を参照して説明する。尚、図３及び図４による施工手順例では、６枚の建築用パネル２を内壁面となる施工下地１に取付施工する例を示している。
【００４０】
まず、図３（ａ）に示すように、６枚の建築用パネル２の最外周端部に沿って配設される各見切り受け部材５６，５７のうち左側端部の縦見切り受け部材５６と、床側端部の横見切り受け部材５７とをそれぞれ施工下地１に固着する。この際、各見切り受け部材５６，５７それぞれは、その固定板状部６６，６７に設けられた目印溝の適所に、釘（フィニッシュネイル、ステイプル等）やビス等の固着具（不図示）が止着されることで、施工下地１に固着する。
【００４１】
尚、図例では、縦見切り受け部材５６の床側端部内方側に、横見切り受け部材５７の一端面が突合せられた状態を示している。又、不図示であるが、最左方側かつ最床面側に配置される建築用パネル２を係着するための係着手段となるパネル固定用係止部材（図１参照）も、施工下地１に固着される。
【００４２】
そして、図３（ｂ）に示すように、最左方側かつ最床面側に配置される建築用パネル２が、図１に示す構造の係着手段で係着することで、施工下地１面に固着させる。このとき、その左側及び床側の辺縁を見切り受け部材５６，５７によって、建築用パネル２の位置決めを行うことができる。尚、見切り受け部材５６，５７それぞれの上方には、固着板状部６６，６７より突設した基台部７６，７７を備える。又、この基台部７６，７７はそれぞれ、その表面に設けられた上方に開口する係合凹部を備え、この係合凹部にはそれぞれ、見切り部材５２，５３に設けられた係合突部が嵌入される。
【００４３】
この図３（ｂ）に示すようにして、建築用パネル２を係着させると、この建築用パネル２の右側の辺縁に沿うように、中間目地受け部材５５を施工下地１に固着する。このとき、中間目地受け部材５５の更に右側には、最右方側かつ最床面側に配置される建築用パネル２を係着するためのパネル固定用係止部材（図１参照）が、施工下地１に固着される。
【００４４】
尚、この中間目地受け部材５５においても、見切り受け部材５６，５７と同様、固着具が止着される固定板状部６５と、固着板状部６５より突設した基台部７５を備えるとともに、基台部７５の表面に、中間目地部材５１に設けられた係合突部が嵌入される係合凹部が設けられる。又、中間目地受け部材５５は、基台部７５において、固着板状部６５と逆側に延びた固定短片を備え、この固定短片が建築用パネル２の裏面と施工下地１との間に挿入される。
【００４５】
その後、図３（ｃ）に示すように、最右方側かつ最床面側に配置される建築用パネル２が係着されると、この施工下地１に係着された２枚の建築用パネル２の天井面側の辺縁に沿って、カバー目地受け部材５４を施工下地１に固着する。このとき、カバー目地受け部材５４よりも天井面側において、最左方側に建築用パネル２を係着するためのパネル固定用係止部材（図１参照）が、施工下地１に固着される。
【００４６】
尚、このカバー目地受け部材５４においても、中間目地受け部材５５と同様、固着具が止着される固定板状部６４と、建築用パネル２の裏面と施工下地１との間に挿入される固定短片と、この固定短片及び固定板状部６４より突設した基台部７４とを、備えるとともに、基台部７４の表面に、カバー目地部材５０に設けられた係合突部が嵌入される係合凹部が設けられる。
【００４７】
そして、図３（ｂ）、（ｃ）と同様の手順により施工を施すことによって、図３（ｄ）に示すように、カバー目地受け部材５４に沿って、中間目地受け部材５５を介在して、２枚の建築用パネル２を係着させた後、この係着させた２枚の建築用パネル２の更に天井側に、カバー目地受け部材５４を固着させる。その後、同様にして、図３（ｄ）のように天井側に固着されたカバー目地受け部材５４に沿って、中間目地受け部材５５を介在して、左側から順番に２枚の建築用パネル２を係着させる。
【００４８】
このように、建築用パネル２の係着と、カバー目地受け部材５４及び中間目地受け部材５５の固着とが、図３（ａ）〜（ｄ）で示される手順で繰り返し行われる。これにより、図４（ａ）に示すように、複数枚（図例では６枚）の建築用パネル２が、縦方向及び横方向それぞれにおいてカバー目地受け部材５４及び中間目地受け部材５５を介在して隣接した状態で、施工下地１に敷設される。よって、施工下地１面の縦横それぞれに並列配置された複数枚の建築用パネル２の集合体が形成されることとなる。
【００４９】
そして、更に、図４（ａ）に示すように、天井側端部の横見切り受け部材５７及び右側端部の縦見切り受け部材５６をそれぞれ施工下地１に固着する。このとき、各見切り受け部材５６，５７の固定板状部６６，６７は、基台部７６，７７より内方（建築用パネル存在側）に向けて延出させた形状であることから、建築用パネル２の裏面と施工下地１との間に挿入された状態となり、固着具が止着できない。そのため、見切り受け部材５６，５７に基台部７６，７７の外方側に各固着具受部（不図示）を設け、この固着具受部に対して固着具を止着させるようにしてもよい。
【００５０】
このようにして施工を行うことで、建築用パネル２に挟まれた目地溝には、カバー目地受け部材５４及び中間目地受け部材５５それぞれの基台部７４，７５表面に凹設された係合凹部が現れた状態となる。又、建築用パネル２による集合体の外郭側には、縦見切り受け部材５６及び横見切り受け部材５７それぞれの基台部７６，７７表面に凹設された係合凹部が現れた状態となる。
【００５１】
そして、まず、図４（ａ）に示すように、中間目地受け部材５５それぞれの係合凹部に対して、中間目地部材５１の係合突部を嵌入させて係合することで、中間目地受け部材５５それぞれに中間目地部材５１を嵌着させる。その後、図４（ｂ）に示すように、カバー目地受け部材５４それぞれの係合凹部に対して、カバー目地部材５０の係合突部を嵌入させて係合することで、カバー目地受け部材５４それぞれにカバー目地部材５０を嵌着させる。
【００５２】
尚、カバー目地部材５０は、その上方先端に鍔部を備えるとともに、当該鍔部が建築用パネル２の表面に当接することで、建築用パネル２を係止する機能を備える。又、中間目地部材５１については、カバー目地部材５０と同様の構成とし、建築用パネル２を係止する鍔部を備えるものとしてもよいが、その意匠性をよくするために、上方先端表面を建築用パネル２の表面と略同一面として、その端部がカバー目地部材５０の鍔部により覆われるような構成としてもよい。
【００５３】
このようにしてカバー目地部材５０と中間目地部材５１の嵌着を行った後、縦見切り受け部材５６及び横見切り受け部材５７のそれぞれの係合凹部に対して、縦見切り部材５２及び横見切り部材５３のそれぞれの係合突部を嵌入させて係合する。これにより、図４（ｃ）に示すように、縦見切り受け部材５６及び横見切り受け部材５７のそれぞれに、縦見切り部材５２及び横見切り部材５３が嵌着される。
【００５４】
尚、縦見切り部材５２及び横見切り部材５３はそれぞれ、その長手方向に対する垂直な断面において、内方側の一部を開口とした略四角枠形状となるとともにその下端部から下方に向けて係合突部が突設された基部を備える。そして、この基部によって立ち上がり壁部が構成されるとともに、その内方側側面が、建築用パネル２のうちの最外方に位置するものの辺縁及びカバー目地部材５０の両端部端面に対面して、当接あるいは近接配置されている。
【００５５】
又、基部の外方側側面に沿って下方に向けて延設された見切りカバー部が、縦見切り受け部材５６及び横見切り受け部材５７それぞれの外方を覆うカバーとして機能する。更に、基部の上端部には、内方に向けて延出する突片部が設けられ、この突片部の内方の裏面が最外方に位置する建築用パネル２の辺縁側及びカバー目地部材５０の両端部の表面に対面して、当接あるいは近接配置されている。
【００５６】
このようにして縦見切り部材５２及び横見切り部材５３の嵌着を行い、それぞれの見切りカバー部により、縦見切り受け部材５６及び横見切り受け部材５７を固着する固着具などを覆い、意匠性に優れたものとすることができる。次いで、図４（ｄ）に示すように、各見切り部材５２，５３のそれぞれ四隅の突合せ部に、この突合せ部を覆うように、コーナーキャップ６をそれぞれ固着する。
【００５７】
３．建築用パネル
以上のように図２に示す建築用パネルの取付構造Ａを用いて取付施工された建築用パネル２は、例えば、その一部に不良があったような場合や模様替え等をしたい場合には、カバー目地部材５０、中間目地部材５１及び各見切り部材５２，５３を脱離させることで、建築用パネル２の係着を解除可能な状態とすることができる。又、これらの脱離させたカバー目地部材５０、中間目地部材５１及び各見切り部材５２，５３については、建築用パネル２の交換後に再利用できる。尚、建築用パネル２についても、不良や破損がない限りにおいては、その係着を取り外すことにより、再利用可能となる。
【００５８】
又、このように構成される建築用パネルの取付構造Ａにおいて、建築用パネル２は、矩形状の板状体からなり、例えば、木質系材料や合成樹脂系材料、窯業系材料、金属系材料等から形成されている。そして、木質系材料としては、無垢の木材、集成材、合板、パーティクルボード、木質繊維板等や、これらを基材として、突き板や樹脂シート等の化粧シート材を更に貼着したものや、該基材の表面に化粧塗装を施したものが挙げられる。
【００５９】
又、合成樹脂系材料としては、熱硬化性樹脂材、熱可塑性樹脂材等が挙げられ、窯業系材料としては、レンガ、瓦、セラミックスや、セメントを主成分として補強繊維や無機質充填材を含有したセメント系の窯業系材料等が挙げられる。更に、金属系材料としては、アルミ材や、ステンレス材等が挙げられる。これら樹脂系材料、窯業系材料及び金属系材料についても、上記木質系材料と同様、これらを基材として、更に突き板や樹脂シート等の化粧シート材を更に貼着したものや、該基材の表面に化粧塗装を施したものとしてもよい。
【００６０】
更に、建築用パネル２は、種々の機能性が付与された機能性パネルとしてもよい。機能性パネルとしては、例えば、調湿パネルや吸音パネル、防音パネル、防汚パネル、抗菌パネル等が挙げられる。或いは、機能性パネルとなる建築用パネル２として、照明装置を内蔵した照明パネルや、棚板を手前側に向けてパネルに突設した棚板パネル、前面開口箱形状の収納箱をパネルに付設した収納パネルとしてもよい。これら照明装置や棚板、収納箱は、パネルに対して着脱可能に設けるようにしてもよい。更に、棚板や収納箱をパネルと一体成形するようにしてもよい。
【００６１】
又、このような建築用パネル２の形状は、図例のような略正方形状に限らず、長方形状のものとしてもよい。そして、建築用パネル２の大きさは、施工箇所等に応じて適宜、設定可能であり、一辺が１００ｍｍ〜６００ｍｍ程度の比較的小モジュールのもの、一辺が６００ｍｍ〜９００ｍｍ程度の中モジュールのもの、あるいは、一辺が９００ｍｍ〜１８００ｍｍ程度の比較的大モジュールのものとしてもよい。
【００６２】
４．目地部材、目地受け部材、見切り部材、見切り受け部材
隣接する建築用パネル２の間の目地溝に設けられるカバー目地部材５０及び中間目地部材５１はそれぞれ、アルミニウム材から押出成形や射出成形、プレス成形あるいは切削加工等によって、一体的に成形されることで、長尺に形成されるものとしてもよい。そして、カバー目地部材５０の長手方向に沿う長さは、中間目地部材５１を介在させて横方向に並設された複数枚の建築用パネル２の全長に亙って配設される長さとされる。一方、中間目地部材５１の長さは、建築用パネル２の縦辺の長さと略同じ長さとされる。
【００６３】
又、このカバー目地部材５０及び中間目地部材５１はそれぞれ、その材料費を低減すべく、その基部の適宜箇所に長手方向に沿って凹所を形成するようにして押出成形によって形成されている。尚、カバー目地部材５０及び中間目地部材５１の材質は、上記アルミニウム材に限られず、ステンレス材等の他の金属系材料あるいはポリプロピレンや、ＡＢＳ、ポリエチレンテレフタレート、ポリカーボネート、ＰＰＳ等の合成樹脂系材料としてもよい。尚、縦見切り部材５２の材質及び形成方法が、カバー目地部材５０と同様となるとともに、横見切り部材５３の材質及び形成方法が、中間目地部材５１と同様となる。
【００６４】
一方、カバー目地受け部材５４及び中間目地受け部材５５それぞれについても、カバー目地部材５０及び中間目地部材５１と同様、上記した金属材料や合成樹脂系材料などから、押出成形や射出成形、プレス成形あるいは切削加工等によって、一体的に成形されるものとしてもよい。このとき、カバー目地受け部材５４及び中間目地受け部材５５は、カバー目地部材５０及び中間目地部材５１と同様、長尺に形成されるとともに、基台部７４，７５については、その表面に形成された係合凹部が広がるような弾性が与えられた構造となる。尚、縦見切り受け部材５６の材質及び形成方法が、カバー目地受け部材５４と同様となるとともに、横見切り受け部材５７の材質及び形成方法が、中間目地受け部材５５と同様となる。
【００６５】
又、カバー目地部材５０の基部及びカバー目地受け部材５４の基台部７４の下端部近傍の幅寸法、中間目地部材５１の基部及び中間目地受け部材５５の基台部７５の下端部近傍の幅寸法は、形成する目地幅に応じて適宜、設定可能である。よって、例えば、建築用パネル２間に形成される目地幅を５ｍｍ程度としたい場合には、各目地部材の基部及び各目地受け部材の基台部それぞれの下端部近傍の幅寸法を５ｍｍ程度とすればよい。又、カバー目地部材５０に設けられる、建築用パネル２を係止するための鍔部の延出幅も適宜、設定可能であり、建築用パネル２及び中間目地部材５１の寸法誤差や取付誤差等を考慮して、１〜４ｍｍ程度としてもよい。
【００６６】
更に、中間目地部材５１の施工下地１から上側先端面までの高さは、中間目地受け部材５５に係合保持された状態で、施工下地１に係着された建築用パネル２の表面と略面一となるような高さとすることが好ましい。又、カバー目地部材５０の施工下地１から上側先端面までの高さは、カバー目地受け部材５４に係合保持された状態で、中間目地部材５１の高さ及び建築用パネル２の厚さに応じて、建築用パネル２及び中間目地部材５１それぞれの表面に対して、カバー目地部材５０の鍔部の裏面が当接あるいは近接して対面配置されるような高さとすることが好ましい。
【００６７】
そして、縦見切り部材５２の長手方向に沿う長さが、縦方向に並設された建築用パネル２の縦方向幅に応じて、又、横見切り部材５３の長手方向に沿う長さが、横方向に並設された建築用パネル２の横方向幅に応じて、それぞれ適宜長さに設定されている。又、縦見切り受け部材５６及び横見切り受け部材５７のそれぞれの長手方向に沿う長さは、縦見切り部材５２及び横見切り部材５３それぞれと略同じ長さとされている。更に、カバー目地受け部材５４及び中間目地受け部材５５のそれぞれの固定板状部６４，６５及び固定短片の厚さ、及び各見切り受け部材５６，５７の各固定板状部６６，６７の厚さは、１ｍｍ程度〜２ｍｍ程度の薄板状とすることが好ましい。
【００６８】
以下において、図１に示すような基本構造に基づく本発明の実施の形態について、図面を参照して説明する。尚、以下の各実施形態においては、その説明を簡単なものとするため、図２に示す建築用パネルの取付構造Ａと同様、施工下地を内壁面とした場合のものを例に挙げて説明するが、施工下地を天井面、床面、或いは外壁面とした場合においても、適用可能である。
【００６９】
又、以下の各実施形態における建築用パネルの取付構造において、建築用パネル、各見切り部材、各見切り受け部材、各目地部材、及び各目地受け部材のそれぞれについては、図２に示す建築用パネルの取付構造Ａで説明したものによって構成されるため、その詳細については上述の内容を参照するものとして説明を省略する。更に、以下の各実施形態において、図１（ａ）に示す構造による例を挙げて説明するが、図１（ｂ）に示す構造のものによっても同様に構成することができる。
【００７０】
そして、以下の各実施形態においては、各目地受け部材及び各目地部材によって囲まれた建築用パネルを例に挙げて説明するが、上述したように、目地受け部材と目地部材の関係が、見切り受け部材と見切り部材との関係と同じであるため、その一部を各見切り受け部材及び各見切り部材によって囲まれた建築用パネルにおいても、以下の各実施形態で説明する構成を適用することができる。
【００７１】
＜第１の実施形態＞
本発明の第１の実施の形態について、図面を参照して説明する。図５は、本実施形態で使用する係着手段を説明するための図であり、（ａ）が、パネル固定用係止部材の構成を示す外観斜視図であり、（ｂ）が、目地部材を取り外したときの目地受け部材とパネル固定用係止部材の設置関係を示す上面図である。又、図６は、本実施形態における建築用パネルの裏面側からみた外観斜視図である。
【００７２】
図５（ａ）に示すように、本実施形態の建築用パネルの取付構造における、パネル固定用係止部材１０は、その先端が折曲されて断面がＬ字形状となるフック１０１と、フック１０１の基部から両側に延出させた固定板状部１０２を備える。即ち、パネル固定用係止部材１０は、固定板板状部１０２の中央部分に、フック１０１が突設された構成となる。そして、固定板状部１０２は、フック１０１のＬ字断面に対して垂直な方向を長手方向とした板状とするとともに、この固定板状部１０２の長手方向に対してフック１０１も延びた形状となる。即ち、フック１０１と固定板状部１０２とによって、固定板状部１０２の長手方向に沿った溝が形成される。
【００７３】
このように構成されるパネル固定用係止部材１０において、固定板状部１０２は、上述のカバー目地受け部材５４及び中間目地受け部材５５それぞれの固定板状部６４，６５と同様、釘（フィニッシュネイル、ステイプル等）やビス等の固着具５（図５（ｂ）参照）が目印溝に止着される。又、この固定板状部１０２の厚さについても、カバー目地受け部材５４及び中間目地受け部材５５それぞれの固定板状部６４，６５と同様、１ｍｍ程度〜２ｍｍ程度の薄板状とすることが好ましい。
【００７４】
上述した図３及び図４の例のように、床面側且つ左側の建築用パネル２から順番に施工下地１に敷設するとともに、２つの固定用係止部材１０によって、建築用パネル２を係着させる場合において、建築用パネル２を外したときの構成の一部を、図５（ｂ）に示す。図５（ｂ）において、符号１０ａが、床面側に配置されるパネル固定用係止部材を示し、符号１０ｂが、天井面側に配置されるパネル固定用係止部材を示す。
【００７５】
パネル固定用係止部材１０ａ，１０ｂを固着するとき、図５（ｂ）に示すように、パネル固定用係止部材１０ａ，１０ｂそれぞれの左側辺縁を、左側の中間目地受け部材５５ａにおける固定板状部６５の右側辺縁に当接させて、パネル固定用係止部材１０ａ，１０ｂの横方向の位置決めを行う。尚、中間目地受け部材５５ａ，５５ｂは、図５（ｂ）に示すように、その床面側辺縁が、床面側に固着されるカバー目地受け部材５４ａにおける固定板状部６４の天井面側辺縁に当接する一方で、その天井面側辺縁が、天井面側に固着されるカバー目地受け部材５４ｂにおける固定短片８４の床面側辺縁の近傍に位置することとなる。
【００７６】
このとき、パネル固定用係止部材１０ａは、その固定板状部１０２の床面側辺縁を、カバー目地受け部材５４ａにおける固定板状部６４の天井面側辺縁に当接させて、パネル固定用係止め部材１０ａの縦方向の位置決めを行う。即ち、パネル固定用係止部材１０ａの固定板状部１０２における床面側辺縁が、中間目地受け部材５５ａの床面側辺縁と略同一線上に配置される。
【００７７】
一方、パネル固定用係止部材１０ｂは、その固定板状部１０２の天井面側辺縁が、中間目地受け部材５５ａの天井面側辺縁と略同一線上に配置されるようにして、パネル固定用係止部材１０ｂの縦方向の位置決めを行う。即ち、カバー目地受け部材５４ｂを、その固定短片８４の床面側辺縁が、パネル固定用係止部材１０ｂの固定板状部１０２の天井面側辺縁の近傍位置で、この固定板状部１０２と平行となるように、固着されることとなる。
【００７８】
このようにして、パネル固定用係止部材１０ａ，１０ｂの縦方向及び横方向それぞれの位置決めが成されると、それぞれの固定板状部１０２に対して、フック１０１よりも床面側及び天井面側のそれぞれに固着具５が止着される。この固着具５による固定板状部１０２への止着が成されることで、パネル固定用係止部材１０ａ，１０ｂが施工下地１に固着される。そして、上述のようにパネル固定用係止部材１０ａ，１０ｂの位置決めが成されることにより、後述する建築用パネル２に設けられた係止部に対応した位置に、パネル固定用係止部材１０ａ，１０ｂそれぞれのフック１０１が設置されることとなる。
【００７９】
一方、このようにして位置決めが成されて施工下地１の表面上に固着されたパネル固定用係止部材１０に係着する建築用パネル２は、図６に示すように、その裏面に、パネル固定用係止部材１０のフック１０１に係止する係止部２０ｘ，２０ｙ（図１（ａ）における係止部２０に相当する。）を備える。この係止部２０ｘ，２０ｙは、パネル固定用係止部材１０のフック１０１の先端における折曲部１０３が形成する面よりも広い開口面を構成する開口部２０ａと、パネル固定用係止部材１０との係止方向（縦方向）に対して開口部２０ａと連設けられた係止溝部２０ｂとによって構成される。
【００８０】
又、図５（ｂ）のように、１枚の建築用パネル２に対して２つのパネル固体用係止部材１０ａ，１０ｂが固着されるため、図６に示すように、建築用パネル２に形成される係止部２０ｘ，２０ｙは、建築用パネル２の裏面において、その開口部２０ａにおける長手方向が平行となるように、縦方向の２箇所に並設される。そして、この係止部２０ｘ，２０ｙのそれぞれにおいて、開口部２０ａに対して天井面側に係止溝部２０ｂが設けられる場合、建築用パネル２の天井面側の辺縁における裏面側に、建築用パネル２の天井面側の辺縁に沿って延びた切欠部２０１が設けられる。
【００８１】
そして、本実施形態における建築用パネルの取付構造において、係着された建築用パネル２とパネル固定用係止部材１０との関係が、図７に示す縦断面図のようになる。この図７に示す縦断面図を参照して、建築用パネル２，パネル固定用係止部材１０ａ，１０ｂ、カバー目地部材５０ａ，５０ｂ、及び、カバー目地受け部材５４ａ，５４ｂそれぞれの構成の詳細について、以下に説明する。尚、この図７において、カバー目地受け部材５４ａ，５４ｂと、パネル固定用係止部材１０ａ，１０ｂとが、図５（ｂ）のように施工下地１に対して固着されたものであるとともに、カバー目地部材５０ａ、５０ｂが、カバー目地受け部材５４ａ，５４ｂそれぞれに嵌着するものとなる。
【００８２】
まず、カバー目地部材５０ａ，５０ｂは、縦断面形状が略Ｉ形状（倒伏略Ｈ形状）の基部５０１と、基部５０１の上端部に幅方向両側に向けて延出する鍔部５０２と、基部５０１の下端部から下方に向けて突設された係合突部５０３とを有している。又、このカバー目地部材５０ａ，５０ｂが嵌着されるカバー目地受け部材５４ａ、５４ｂは、上述したように、カバー目地部材５０ａ，５０ｂ側に突出した基台部７４と、基台部７４の施工下地１側において天井面側及び床面側のそれぞれに延出させた固定板状部６４及び固定短片８４とを備えるとともに、基台部７４の上方端面には、カバー目地部材５０ａ，５０ｂの係合突起５０３が嵌入される係合凹部９４を備える。
【００８３】
そして、上述したように、カバー目地部材５０ａ，５０ｂそれぞれにおける基部５０１の縦方向の幅、及び、カバー目地受け部材５４ａ，５４ｂそれぞれにおける基台部７４の縦方向の幅が、縦方向に隣接する建築用パネル２間の目地溝の幅Ｄ１と同等の長さとなる。このように構成することで、建築用パネル２の天井面側の辺縁が、カバー目地部材５０ｂの床面側の端面と当接するとともに、建築用パネル２の床面側の辺縁が、カバー目地部材５０ａ及びカバー目地受け部材５４ａの天井面側の端面と当接する。
【００８４】
又、建築用パネル２に設けられた切欠部２０１は、その縦方向の幅Ｄ３が、建築用パネル２間における目地溝の縦方向の幅Ｄ１以上の長さで、且つ、カバー目地受け部材５４ａ，５４ｂにおける固定短片８４の縦方向の幅Ｄ２よりも短い長さとされる。更に、この切欠部２０１の施工下地１からの高さＨ２が、施工下地１からカバー目地受け部材５４ａ，５４ｂにおける基台部７４の上方端面までの高さＨ１以上の高さとされる。
【００８５】
このように構成することで、カバー目地部材５０ａ，５０ｂを取り外した状態で、建築用パネル２を天井面側にスライドさせたとき、カバー目地受け部材５４ｂとの緩衝を防ぐことができる。又、カバー目地受け部材５４ｂの固定短片８４を、建築用パネル２の切欠部２０１よりも床面側の裏面と施工下地１との間で挟持して、固定することができる。
【００８６】
更に、建築用パネル２の裏面に設けられる係止部２０ｘ，２０ｙは、裏面側を開口させた開口部２０ａについて、その底部から建築用パネル２の裏面までの高さを、パネル固定用係止部材１０ａ，１０ｂそれぞれのフック１０１の高さ以上とすることで、フック１０１の挿入が可能となる。そして、この開口部２０ａの底部を天井面側に延出した係止溝部２０ｂを形成することで、係止溝部２０ｂを覆う建築用パネル２の裏面部分の断面が鈎形状となる。
【００８７】
よって、開口部２０ａの底部まで挿入されたフック１０１の折曲部１０３が、更に、係止溝部２０ｂに挿入されることによって、フック１０１が係止溝部２０ｂで係止する。このとき、係止溝部２０ｂの天井面側底部がフック１０１の折曲部１０３先端に当接することで、建築用パネル２が縦方向（係止方向）の支持を得るものとしてもよいし、開口部２０ａの天井面側内壁がフック１０１と固定板状部１０２との接続部となる基部１０４に当接することで、建築用パネル２が縦方向の支持を得るものとしてもよい。又、フック１０１の折曲部１０３の施工下地１側の面と、係止溝部２０ｂにおける建築用パネル２の裏面側の内壁とが当接することにより、建築用パネル２が上方向（施工下地１面に対して垂直な方向）の支持を得る。
【００８８】
このように構成されることで、本実施形態における建築用パネルの取付構造においては、建築用パネル２を縦方向にスライドさせることで、建築用パネル２の部分的な着脱が可能な構成となる。即ち、図７に示すように、パネル固定用係止部材１０ａ，１０ｂ及びカバー目地部材５０ａ，５０ｂによって施工下地１に係着された建築用パネル２を取り外すとき、まず、図８（ａ）に示すように、目的の建築用パネル２の床面側及び天井面側それぞれに設置されたカバー目地部材５０ａ，５０ｂを、カバー目地受け部材５４ａ，５４ｂより引き抜いて、取り外す。
【００８９】
これにより、カバー目地部材５０ａ，５０ｂそれぞれの鍔部５０２による、建築用パネル２の表面への係止が解除されるとともに、建築用パネル２の天井面側辺縁における基部５０１との当接が解除される。よって、建築用パネル２が天井面側へスライド可能な状態となる。そして、建築用パネル２を天井面側へスライドさせることで、パネル固定用係止部材１０ａ，１０ｂそれぞれのフック１０１が、係止部２０ｘ，２０ｙそれぞれの係止溝部２０ｂから引き抜かれる。
【００９０】
このようにして、係止部２０ｘ，２０ｙそれぞれの開口部２０ａによって、パネル固定用係止部材１０ａ，１０ｂそれぞれのフック１０１が覆われた状態となると、パネル固定用係止め部材１０ａ，１０ｂによる係着が解除される。そして、図８（ｂ）に示すように、建築用パネル２を上方に移動させることによって、建築用パネル２を施工下地１より取り外すことができる。
【００９１】
又、建築用パネル２を施工下地１に取り付ける場合は、取り外すときの作業工程と逆の手順で行う。即ち、まず、図８（ｂ）のようにして、パネル固定用係止部材１０ａ，１０ｂそれぞれのフック１０１を、係止部２０ｘ，２０ｙそれぞれの開口部２０ａに挿入するように、建築用パネル２を施工下地１側に移動させる。その後、図８（ａ）のように、建築用パネル２を床面側にスライドさせることで、パネル固定用係止部材１０ａ，１０ｂにより係着させる。そして、建築用パネル２の床面側及び天井面側それぞれに、カバー目地部材５０ａ，５０ｂを嵌め込むことによって、図７に示す構成として、建築用パネル２を固定することができる。
【００９２】
尚、本実施形態においては、図５（ｂ）に示すように、１枚の建築用パネル２を係着するために、２つのパネル固定用係止部材１０ａ，１０ｂが用いられるものとしたが、１つのパネル固定用係止部材１０のみが用いられるものとしてもよいし、３つ以上のパネル固定用係止部材１０が用いられるものとしてもよい。このとき、建築用パネル２は、係着するパネル固定用軽視部材１０の個数と同数の係止部２０を備える。これらの構成については、後述する各実施形態においても同様に適用することが可能である。
【００９３】
又、天井面側に配置されるパネル固定用係止部材１０ｂにおける縦方向の位置決めについては、その固定板状部１０２の床面側辺縁を、床面側に配置されるパネル固定用係止部材１０ａにおける固定板状部１０２の天井面側辺縁に当接させることで、成されるものとしても構わない。この構成についても、後述する各実施形態においても同様に適用することが可能である。
【００９４】
更に、図５（ａ）と異なり、１つのパネル用係止部材１０に、その長手方向が平行となるとともに縦方向に並んだ２つ以上のフック１０１が設けられる構成としても構わない。このように２つ以上のフック１０１を備えたパネル用係止部材１０とした場合、このパネル用係止部材１０は、固定板状部１０２の床面側辺縁をカバー目地受け部材５４における固定板状部６４の天井面側辺縁に当接させるのみで、このパネル用係止部材１０に設けられた複数のフック１０１の位置決めを行うことができる。この構成についても、後述する各実施形態においても同様に適用することが可能である。
【００９５】
又、建築用パネル２の裏面において、その横方向の一部に、係止部２０が設けられる構成としたが、係止部２０が、建築用パネル２の裏面における横方向の幅と同一の幅となるように構成されるものとしてもよい。即ち、建築用パネル２の左右の辺縁において、開口部２０ａ及び開口溝２０ｂそれぞれの縦方向断面と同一形状の開口面が形成される。これにより、係止部２０の形状を単純なものとして構成することができ、建築用パネル２の製造工程を簡単化することができる。
【００９６】
尚、図１（ｂ）のように、建築用パネル２の係止部２１を突起させるとともに、パネル固定用係止部材１１を施工下地１に凹設させる場合においても、上述のパネル固定用係止部材１０と係止部２０との関係が逆になったものと等しいため、それぞれの構造を、パネル固定用係止部材１０と係止部２０の構造と同様のものとすればよい。このとき、係止部２１を構成するフックの折曲部の先端が、床面側を指す方向に形成され、この係止部２１の形状に応じて、パネル固定用係止部材１１の開口部１１ａ及び係止溝部１１ｂが構成される。更に、パネル固定用係止部材１１を施工下地１に設置する際、パネル固定用係止部材１１を構成する金具などを施工下地１に設けた開口穴に挿入することで、凹設されるパネル固定用係止部材１１を構成することできる。
【００９７】
＜第２の実施形態＞
本発明の第２の実施の形態について、図面を参照して説明する。図９は、本実施形態で使用する係着手段を説明するための図であり、（ａ）が、パネル固定用係止部材の構成を示す外観斜視図であり、（ｂ）が、目地部材を取り外したときの目地受け部材とパネル固定用係止部材の設置関係を示す上面図である。又、図１０は、本実施形態における建築用パネルの裏面側からみた外観斜視図である。尚、図９及び図１０に示す構成において、図５及び図６に示す構成と同一の目的で使用する部分については、同一の符号を付してその詳細な説明は省略する。
【００９８】
本実施形態における建築用パネルの取付構造は、第１の実施形態のものと異なり、建築用パネル２を横方向（係止方向に対して垂直な方向）にスライドさせることで、施工下地１に対する係着を解除させる構成とする。そのため、パネル固定用係止部材１０は、図９（ａ）のように、固定板状部１０２に、１列に断続的に並んだ複数（図例では、３個）のフック１０１ａ〜１０１ｃが設けられた構造となる。即ち、フック１０１ａ〜１０１ｃは、第１の実施形態におけるフック１０１（図５（ａ）参照）を分断した形状となる。又、パネル固定用係止部材１０に設けられるフックの個数は、１個以上の複数個であればよいが、安定した係着のためには、その個数を多くすることが望ましい。
【００９９】
このフック１０１ａ〜１０１ｃを備えたパネル固定用係止部材１０ｃ，１０ｄを、図９（ｂ）のように、第１の実施形態のパネル固定用係止部材１０ａ，１０ｂ（図５（ｂ）参照）と同様、床面側のカバー目地受け部材５４ａと左側の中間目地受け部材５５ａとによって位置決めを行い、固着具５により施工下地１に固着する。これにより、パネル固定用係止部材１０ｃ，１０ｄのフック１０１ａ〜１０１ｃが、横方向に３個ずつ、縦方向に２個ずつ並設されることとなる。
【０１００】
又、建築用パネル２の裏面には、開口部２０ａと係止溝部２０ｂとが横方向に連設された複数（図例では、３×２個）の係止部２０ｐ〜２０ｕが、横方向及び縦方向それぞれに断続的に並設される。即ち、係止部２０ｐ〜２０ｕが、施工下地１に固着されたパネル固定用係止部材１０ｃ，１０ｄのフック１０１ａ〜１０１ｃそれぞれに対応する位置に設けられる。
【０１０１】
更に、この係止部２０ｐ〜２０ｕにおいて、開口部２０ａは、その一部が係止め溝部２０ｂの床面側にも設けられる。即ち、開口部２０ａの開口面が、係止溝部２０ｂの二辺を囲むＬ字状となる。この開口部２０ａにおける係止溝部２０ｂの床面側部分は、フック１０１ａ〜１０１ｃにおける固定板状部１０２と接続する基部１０４が通過可能となるように、この基部１０４の縦方向の幅よりも広い幅で開口するように形成される。
【０１０２】
又、図１０に示すように、建築用パネル２の裏面において、係止部２０ｐ〜２０ｕが、開口部２０ａの大部分を係止溝部２０ｂの右側（図９（ｂ）においては左側に相当する。）に構成しているとき、建築用パネル２の裏面側における左側辺縁（図９（ｂ）においては右側辺縁に相当する。）に切欠部２０２が設けられる。この切欠部２０２は、第１の実施形態の切欠部２０１と同様の機能を有するもので、建築用パネル２を横方向にスライドさせたときに、中間目地受け部材５５との緩衝を防ぐことができる。
【０１０３】
そして、本実施形態における建築用パネルの取付構造において、係着された建築用パネル２とパネル固定用係止部材１０との関係が、図１１（ａ）、（ｂ）に示す縦断面図、及び図１２（ａ）に示す横断面図のようになる。尚、図１１において、（ａ）が、パネル固定用係止部材のフック周辺の構成を示す縦断面図であり、（ｂ）が、建築用パネルの係止部における開口部周辺の構成を示す縦断面図である。又、図１２（ａ）は、パネル固定用係止部材におけるフックの折曲部と建築用パネルにおける係止部との関係を示す横断面図である。
【０１０４】
このように構成されるとき、図１１（ａ）、（ｂ）に示すように、カバー目地受け部材５４ａ，５４ｂと、パネル固定用係止部材１０ｃ，１０ｄとが、図９（ｂ）のように施工下地１に対して固着されたものであるとともに、カバー目地部材５０ａ、５０ｂが、カバー目地受け部材５４ａ，５４ｂそれぞれに嵌着するものとなる。尚、図１１（ａ）、（ｃ）においては、パネル固定用係止部材１０ｃ，１０ｄのフック１０１ａに対する断面形状を示し、図１１（ｂ）においては、係止部２０ｐ，２０ｓに対する断面形状を示すが、パネル固定用係止部材１０ｃ，１０ｄのフック１０１ｂ，１０１ｃや係止部２０ｑ，２０ｒ，２０ｔ，２０ｕに対する断面形状についても、同様の形状となる。
【０１０５】
又、図１２（ａ）に示すように、中央目地受け部材５５ａ，５５ｂと、パネル固定用係止部材１０ｃ（１０ｄ）とが、図９（ｂ）のように施工下地１に対して固着されたものであるとともに、中央目地部材５１ａ、５１ｂが、中央目地受け部材５５ａ，５５ｂそれぞれに嵌着するものとなる。尚、図１２（ａ）〜（ｃ）においては、天井面から見たパネル固定用係止部材１０ｃに対する断面形状を示すが、パネル固定用係止部材１０ｄに対する断面形状についても同様の形状となる。
【０１０６】
図１１（ａ）又は図１１（ｂ）に示すように、カバー目地部材５０ａ，５０ｂはそれぞれ、第１の実施形態と同様、基部５０１と、鍔部５０２と、係合突部５０３とを有する構成となる。それに対して、図１２（ａ）に示すように、中央目地部材５１ａ，５１ｂはそれぞれ、中央目地受け部材５５ａ，５５ｂに嵌着された状態において、その上方端面が建築用パネル２の表面と略同一面となるような形状となる。
【０１０７】
即ち、カバー目地部材５０ａ，５０ｂにおける鍔部５０２を除くとともに、カバー目地部材５０ａ，５０ｂの基部５０１よりも高さの低い基部５１１に係合突部５０３を設けた構成となる。このように構成することで、中央目地部材５１ａ，５１ｂの端部をカバー目地部材５０ａ，５０ｂの鍔部５０２で覆うことができ、その意匠性を向上することができる。
【０１０８】
尚、中央目地部材５１ａ，５１ｂにおいて、その長手方向の長さを、カバー目地部材５０ａ，５０ｂの鍔部５０２と重ならない長さとする場合、その断面形状をカバー目地部材５０ａ，５０ｂと同様にしてもよい。即ち、この場合、中央目地部材５１ａ，５１ｂが、カバー目地部材５０ａ，５０ｂと同様、基部５０１と、鍔部５０２と、係合突部５０３とによって構成される。
【０１０９】
又、カバー目地受け部材５４ａ，５４ｂは、図１１（ａ）及び図１１（ｂ）に示すように、第１の実施形態と同様、固定板状部６４と、基台部７４と、固定短片８４と、係合凹部９４とを有する構成となる。尚、本実施形態で使用する建築用パネル２は、第１の実施形態のような切欠部２０１（図６参照）が設けられないため、建築用パネル２の床面側辺縁が、カバー目地受け部材５４ａの基台部７４の天井面側端面と当接するとともに、建築用パネル２の天井面側辺縁が、カバー目地受け部材５４ｂの基台部７４の床面側端面と当接する。
【０１１０】
一方、中央目地受け部材５５ａ，５５ｂはそれぞれ、図１２（ａ）に示すように、固定板状部６５と、基台部７５と、固定短片８５と、係合凹部９５とを備えることにより、カバー目地受け部材５４ａ，５４ｂと同じ断面構造を有する。そして、建築用パネル２が、図１０に示すように、横方向に切欠部２０２が設けられる。この切欠部２０２は、切欠部２０１（図７参照）と同様、その横方向の幅Ｄ６が、目地溝の横方向の幅Ｄ４以上で、且つ、中央目地受け部材５５ａ，５５ｂの固定短片８５の横方向の幅Ｄ５よりも短い長さとされ、その高さＨ４が、中央目地受け部材５５ａ，５５ｂにおける基台部７５の上方端面までの高さＨ３以上の高さとされる。
【０１１１】
このように構成することで、建築用パネル２は、その横方向の辺縁が、中央目地部材５１ａ，５１ｂ及び中央目地受け部材５５ａと当接することとなる。これにより、中央目地部材５１ａ，５１ｂを取り外した状態で、建築用パネル２を右側（図９と同様）にスライドさせたとき、中央目地受け部材５５ｂとの緩衝を防ぐことができる。又、中央目地受け部材５５ｂの固定短片８５を、建築用パネル２の切欠部２０２よりも左側（図９と同様）の裏面と施工下地１との間で挟持して、固定することができる。
【０１１２】
又、係止部２０ｐ〜２０ｕは、図１１（ａ）の縦断面図のように、その係止溝部２０ｂが、フック１０１ａ〜１０１ｃの折曲部１０３と相似形状であり折曲部１０３の幅よりも大きくなる溝で構成され、係止溝部２０ｂを覆う建築用パネル２の裏面部分の断面が鈎形状となる。そして、係止溝部２０ｂの床面側が建築用パネル２の裏面に向かって延出されて、係止溝部２０ｂの床面側に、フック１０１ａ〜１０１ｃの基部１０４が嵌入する開口部２０ａの一部が形成される。即ち、係止溝部２０ｂにおける係止部２０ｐ〜２０ｕの縦方向の断面構造が、フック１０１ａ〜１０１ｃと同様のＬ字形状となる。
【０１１３】
更に、図１２（ａ）の横断面図に示すように、係止溝部２０ｂの横方向の幅Ｄ７が、フック１０１ａ〜１０１ｃの横方向の幅と略同等の幅とされるとともに、目地溝の横方向の幅Ｄ４以下となるように形成される。そして、係止部２０ｐ〜２０ｕは、この係止溝部２０ｂの左側（図１０の右側）に連設する、図１１（ｂ）の縦断面図に示すような開口部２０ａを備える。即ち、図１２（ａ）の横断面図に示すように、開口部２０ａの底部側を右側（図１０の左側）に延出させることで係止溝部２０ｂが形成される。
【０１１４】
このように構成することによって、開口部２０ａの底部まで挿入されたフック１０１ａ〜１０１ｃの折曲部１０３が、更に、係止溝部２０ｂに挿入されることで、フック１０１ａ〜１０１ｃは、その折曲部１０３が係止溝部２０ｂで係止され、その基部１０４が係止溝部２０ｂの床面側に設けられた開口部２０ａの一部で係止されることとなる。
【０１１５】
このとき、係止溝部２０ｂの天井面側底部が折曲部１０３先端に当接することで、又は、係止溝部２０ｂの床面側の開口部２０ａの一部における天井面側内壁がフック１０１の基部１０４に当接することで、建築用パネル２が縦方向の支持を得る。又、折曲部１０３の施工下地１側の面と、係止溝部２０ｂにおける建築用パネル２の裏面側の内壁とが当接することにより、建築用パネル２が上方向（施工下地１面に対して垂直な方向）の支持を得る。
【０１１６】
このように構成されることで、本実施形態における建築用パネルの取付構造においては、建築用パネル２を横方向にスライドさせることで、建築用パネル２の部分的な着脱が可能な構成となる。即ち、図１１（ａ）及び図１２（ａ）に示すように、パネル固定用係止部材１０ｃ，１０ｄ及びカバー目地部材５０によって施工下地１に係着された建築用パネル２を取り外すとき、第１の実施形態と同様、まず、図１１（ｃ）の縦方向断面に示すように、目的の建築用パネル２の床面側及び天井面側それぞれに設置されたカバー目地部材５０ａ，５０ｂを、カバー目地受け部材５４ａ，５４ｂより引き抜いて、取り外す。
【０１１７】
これにより、カバー目地部材５０ａ，５０ｂそれぞれの鍔部５０２による、建築用パネル２及び中央目地部材５１ａ，５１ｂの表面への係止が解除される。次いで、図１２（ｂ）の横方向断面に示すように、中央目地部材５１ａ，５１ｂを、中央目地受け部材５５ａ，５５ｂより引き抜いて、取り外す。これにより、建築用パネル２の右側辺縁（図１０においては左側辺縁）における基部５１１との当接が解除される。よって、建築用パネル２が右側へスライド可能な状態となる。
【０１１８】
そして、図１２（ｂ）に示すように、建築用パネル２を右側へスライドさせることで、パネル固定用係止部材１０ｃ，１０ｄそれぞれのフック１０１ａ〜１０１ｃが、係止部２０ｐ〜２０ｕそれぞれの係止溝部２０ｂから引き抜かれる。即ち、図１１（ｃ）及び図１２（ｂ）に示すように、パネル固定用係止部材１０ｃ，１０ｄそれぞれのフック１０１ａ〜１０１ｃが、係止部２０ｐ〜２０ｕそれぞれの開口部２０ａに覆われた状態となり、パネル固定用係止め部材１０ｃ，１０ｄによる係着が解除される。その後図１１（ｃ）及び図１２（ｃ）に示すように、建築用パネル２を上方に移動させることによって、建築用パネル２を施工下地１より取り外すことができる。
【０１１９】
又、建築用パネル２を施工下地１に取り付ける場合は、取り外すときの作業工程と逆の手順で行う。即ち、まず、図１１（ｃ）及び図１２（ｃ）のようにして、建築用パネル２を施工下地１側に移動させて、パネル固定用係止部材１０ｃ，１０ｄそれぞれのフック１０１ａ〜１０１ｃを、係止部２０ｐ〜２０ｕそれぞれの開口部２０ａに嵌入させる。その後、図１２（ｂ）の状態から図１２（ａ）の状態となるように、建築用パネル２を左側にスライドさせて、パネル固定用係止部材１０ｃ，１０ｄにより係着させる。
【０１２０】
そして、図１２（ａ）に示すように、建築用パネル２の左右それぞれに、中央目地部材５１ａ，５１ｂを嵌め込むことによって、係止方向（横方向）への移動を規制させた状態とする。その後、床面側及び天井面側それぞれに、カバー目地部材５０ａ，５０ｂを嵌め込むことによって、図１１（ａ）及び図１１（ｂ）に示す構成として、建築用パネル２を固定することができる。
【０１２１】
尚、本実施形態における図９（ａ）に示すパネル固定用係止部材１０は、第１の実施形態における建築用パネルの取付構造に対しても採用することができる。このとき、建築用パネル２の係止部２０については、図６のような構成の係止部２０ｘ，２０ｙによって構成するものとしてもよいし、図６のような構成の係止部２０ｘ，２０ｙを分離させて、パネル固定用係止部材１０のフック１０１ａ〜１０１ｃそれぞれに対応させた複数箇所に係止部２０を形成するものとしてもよい。又、本実施形態又は第１の実施形態において、横方向に複数の係止部２０を構成する場合、係止部２０をだるま穴によって構成するものとしてもよい。
【０１２２】
＜第３の実施形態＞
本発明の第３の実施の形態について、図面を参照して説明する。図１３は、本実施形態で使用する建築用パネルの構成を説明するための外観斜視図である。尚、本実施形態の構成において、第１及び第２の実施形態に示す構成と同一の目的で使用する部分については、同一の符号を付してその詳細な説明は省略する。
【０１２３】
本実施形態における建築用パネルの取付構造は、上述の第１の実施形態において特徴とする、建築用パネル２の縦方向のスライドによる施工下地１からの着脱可能な構成と、第２の実施形態において特徴とする、建築用パネル２の横方向のスライドによる施工下地１からの着脱可能な構成とを、組み合わせた構成である。この図１３の構成とした建築用パネル２を用いた構成について、以下に簡単に説明する。尚、図１３に示す構成例は、第１の実施形態と同様、Ｌ字断面を横方向に連続的に延ばした形状となるフック１０１を備えた図５（ａ）に示すパネル固定用係止部材１０に係着される建築用パネル２を対象としている。又、図１３は、裏面側から見た建築用パネル２の外観斜視図である。
【０１２４】
図１３に示す建築用パネル２は、その裏面において、図６に示す建築用パネル２と同様、天井面側の辺縁に切欠部２０１を備えるとともに、図１０に示す建築用パネル２と同様、左側の辺縁に切欠部２０２を備える。そして、係止部２０Ｘ，２０Ｙにおいて、その開口部２０ａが、図６に示す建築用パネル２における係止部２０ｘ，２０ｙの開口部２０ａの天井面側の一部を左側に延ばして開口させた形状となるとともに、その係止溝部２０ｂについても、図６に示す建築用パネル２における係止部２０ｘ，２０ｙの係止溝部２０ｂを左側に延ばすように構成される。
【０１２５】
即ち、図１３に示す建築用パネル２の係止部２０Ｘ，２０Ｙは、図６に示す建築用パネル２における係止部２０ｘ，２０ｙの左側に、図１０に示す建築用パネル２に設けられた係止部２０ｐ〜２０ｕにおける係止溝部２０ｂとその床面側に設けられた開口部２０ａの一部とが設けられた構成となる。そして、係止部２０Ｘ，２０Ｙの係止溝部２０ｂの横方向の幅が、図５（ａ）のフック１０１の横方向の幅に横方向に隣接する建築用パネル２０間の目地溝の幅を加えた長さよりも長くなるように構成される。又、開口部２０ａについては、フック１０１全体を挿入可能な部分における横方向の幅が、フック１０１の横方向の幅と同等とされるとともに、フック１０１の基部１０４のみが挿入可能な部分における横方向の幅が、横方向に隣接する建築用パネル２０間の目地溝の幅以下とされる。
【０１２６】
この図１３（ａ）のように構成することで、建築用パネル２をパネル固定用部材１０に係着する場合は、まず、開口部２０ａにおける縦方向に開いた部分にフック１０１を挿入し、床面側に建築用パネル２をスライドさせて、フック１０１の折曲部１０３を係止溝部２０ｂに挿入する。次いで、建築用パネル２を右側（図５においては左側）にスライドさせて、開口部２０ａにおけるフック１０１の基部１０４のみが挿入可能な部分に、フック１０１の基部１０４を挿入させることによって、建築用パネル２を縦方向にスライドすることを規制して係着させる。その後、中間目地部材５１ａ，５１ｂ（図５参照）を嵌入させた後、カバー目地部材５０ａ，５０ｂ（図５参照）を嵌入させて、建築用パネル２を完全に固定する。
【０１２７】
逆に、建築用パネル２を取り外す場合は、カバー目地部材５０ａ，５０ｂ（図５参照）を取り外した後、中間目地部材５１ａ，５１ｂ（図５参照）を取り外すことによって、建築用パネル２がスライド可能な状態とする。このとき、係止部２０Ｘ，２０Ｙの開口部２０ａによって、縦方向の移動が規制されているため、まず、建築用パネル２を左側（図５においては右側）にスライドさせて、フック１０１全体を開口部２０ａにおける縦方向に開いた部分の位置に配置する。次いで、建築用パネル２を天井面側にスライドさせて、フック１０１を開口部２０ａで覆われた状態とした後、手前側に建築用パネル２を引き抜くことにより、建築用パネル２が取り外される。
【０１２８】
尚、図１４に示す建築用パネル２のように、図１３に示す構成と同様、切欠部２０１，２０２を備えることにより、縦方向及び横方向それぞれへのスライドが可能な構成とされるものとしてもよい。この図１４に示す建築用パネル２に設けられる係止部２０Ｚ，２０Ｗは、図６に示す建築用パネル２における係止部２０ｘ，２０ｙに対して、開口部２０ａのみを更に右側に広げた構成となる。尚、この開口部２０ａの広げられた部分の縦方向の幅は、係止部２０ｘ，２０ｙにおける開口部２０ａの縦方向の幅と同一の幅であり、フック１０１全体が挿入可能な幅とされる。
【０１２９】
この図１４のように構成することで、建築用パネル２をパネル固定用部材１０に係着する場合は、まず、作業者の作業を行いやすい位置で開口部２０ａにフック１０１を挿入するとともに、フック１０１の折曲部１０３を係止溝部２０ｂに挿入可能な位置まで、建築用パネル２を右側（図５においては左側）にスライドさせる。次いで、床面側に建築用パネル２をスライドさせて、フック１０１の折曲部１０３を係止溝部２０ｂに挿入することで、係止溝部２０ｂの横方向の内壁により建築用パネル２を横方向にスライドすることを規制して係着させる。その後、中間目地部材５１ａ，５１ｂ（図５参照）を嵌入させた後、カバー目地部材５０ａ，５０ｂ（図５参照）を嵌入させて、建築用パネル２を完全に固定する。
【０１３０】
逆に、建築用パネル２を取り外す場合は、カバー目地部材５０ａ，５０ｂ（図５参照）を取り外した後、中間目地部材５１ａ，５１ｂ（図５参照）を取り外すことによって、建築用パネル２がスライド可能な状態とする。このとき、係止部２０Ｗ，２０Ｚの係止溝部２０ｂによって、縦方向の移動が規制されているため、まず、建築用パネル２を天井面側にスライドさせて、フック１０１を開口部２０ａの位置に配置する。次いで、建築用パネル２をフック１０１を開口部２０ａで覆われた状態となるため、作業者の作業を行いやすい位置に、建築用パネル２を横方向にスライドさせた後、手前側に建築用パネル２を引き抜くことで、建築用パネル２が取り外される。
【０１３１】
＜第４の実施形態＞
本発明の第４の実施の形態について、図面を参照して説明する。図１５は、本実施形態で使用する目地受け部材の構成を説明するための縦方向断面図であり、（ａ）が、建築用パネルの係着時の構成を示し、（ｂ）が、建築用パネルを取り外したときの構成を示す。尚、本実施形態の構成において、第１の実施形態に示す構成と同一の目的で使用する部分については、同一の符号を付してその詳細な説明は省略する。
【０１３２】
本実施形態における建築用パネルの取付構造は、第１の実施形態のものと異なり、図１５（ａ）及び図１５（ｂ）に示すように、カバー目地受け部材５４ａ，５４ｂが、更に、基台部７４の上端部に幅方向両側に向けて延出する雇い実部５４１，５４１を設けた構成となる。そして、建築用パネル２は、その床面側辺縁において、カバー目地受け部材５４ａの天井面側に設けられた雇い実部５４１が嵌合される凹溝状の雌実部２０３が形成される。又、建築用パネル２の裏面の床面側辺縁に設けられる切欠部２０１は、その縦方向の幅Ｄ８が、縦方向の目地溝の幅Ｄ１とカバー目地受け部材５４ｂの床面側に設けられた雇い実部５４１の幅Ｄ９とが加算された長さよりも長くなるように構成される。
【０１３３】
このように構成されることによって、本実施形態の建築用パネルの取付構造においては、建築用パネル２が係着されているとき、図１５（ａ）に示すように、第１の実施形態と同様、建築用パネル２の係止部２０ｘ，２０ｙが、パネル用固定係止部材１０ａ，１０ｂにより係止される。そして、上述のように、カバー目地受け部材５４ａ，５４ｂに雇い実部５４１を設けた構成とするため、建築用パネル２の床面側辺縁に設けられた雌実部２０３が、カバー目地受け部材５４ａの天井面側に設けられた雇い実部５４１に嵌合されることで、係止される。
【０１３４】
又、上述のように、切欠部２０１の縦方向の幅Ｄ８が設定されることにより、カバー目地部材５０ａ，５０ｂを取り外した後に、天井面側に建築用パネル２をスライドさせたとき、図１５（ｂ）に示すように、切欠部２０１により、カバー目地受け部材５４ａとの緩衝が防がれる。又、このように天井面側に建築用パネル２をスライドさせることで、係止部２０ｘ、２０ｙにおけるパネル固定用係止部材１０ａ，１０ｂとの係止と、雌実部２０３における雇い実部５４１との係止がそれぞれ解除される。これにより、建築用パネル２を施工下地１より取り外すことができる。
【０１３５】
尚、本実施形態において、カバー目地受け部材５４ａ，５４ｂの基台部７４の両側に雇い実部５４１，５４１が設けられるものとしたが、建築用パネル２に設けられる雌実部２０３に嵌合させる雄実部となる実部のみが設けられるものとしても構わない。即ち、図１５の構成の場合、カバー目地受け部材５４ａ，５４ｂそれぞれが、その基台部７４の天井面側にのみ雄実部となる実部が形成されることとなる。
【０１３６】
又、本実施形態の特徴について、第２及び第３の実施形態についても適用することは可能である。即ち、第２の実施形態においては、中間目地受け部材５５ａ，５５ｂのみに、その基台部７５の上端部に幅方向両側に向けて延出する雇い実部が設けられるとともに、建築用パネル２については、切欠部２０２が設けられた辺縁と逆側の辺縁に雌実部が設けられる。又、第３の実施形態においては、カバー目地受け部材５４ａ，５４ｂ及び中間目地受け部材５５ａ，５５ｂそれぞれに、それぞれの基台部７４，７５の上端部に幅方向両側に向けて延出する雇い実部が設けられるとともに、建築用パネル２については、切欠部２０１，２０２の設けられていない２つの辺縁に雌実部が設けられる。
【０１３７】
更に、縦見切り受け部材５６及び横見切り受け部材５７のそれぞれにおいて、それぞれの基台部７６，７７に雄実部となる実部を設けた場合についても、建築用パネル２を上述と同様の構成とすることで、着脱可能とすることができる。
【０１３８】
＜第５の実施形態＞
本発明の第５の実施の形態について、図面を参照して説明する。図１６は、本実施形態で使用する建築用パネルの構成を説明するための縦方向断面図であり、（ａ）が、化粧パネルの係着時の構成を示し、（ｂ）が、化粧パネルを取り外したときの構成を示す。尚、本実施形態の構成において、第４の実施形態に示す構成と同一の目的で使用する部分については、同一の符号を付してその詳細な説明は省略する。
【０１３９】
本実施形態における建築用パネルの取付構造は、第４の実施形態のものと異なり、建築用パネル２を、化粧パネル２２と基板パネル２３とで分離した構成とし、基板パネル２３がパネル固定用係止部材として利用される。そして、化粧パネル２２が、カバー目地受け部材５４ａ，５４ｂの基台部７４の上端面よりも上側に設置されるとともに、その裏面側に、図６と同形状となる係止部２０ｘ，２０ｙを備える。尚、この化粧パネル２２は、図６の建築用パネルと異なり、その裏面の辺縁に切欠部２０１が設けられることがない。
【０１４０】
又、パネル固定用係止部材となる基板パネル２３は、施工下地１への固着時における、その上端面（表面）が、カバー目地受け部材５４ａ，５４ｂの基台部７４の上端面の高さ以上の位置となる。そして、基板パネル２３の表面には、化粧パネル２２の係止部２０ｘ，２０ｙと係止するために、係止部２０ｘ，２０ｙとの対応位置に、パネル固定用係止部材１０のフック１０１（図５（ａ）参照）と同一形状となるフック１０１ｘ，１０１ｙが上方に突設されるとともに、天井面側辺縁及び床面側辺縁それぞれに、カバー目地受け部材５４ａ，５４ｂに設けられた雇い実部５４１に係止される切欠部２３１が設けられる。
【０１４１】
このように構成されるとき、基板パネル２３は、施工下地１面に塗布された接着剤２４によって固着されるとともに、雇い実部５４１が切欠部２３１に係止することによって、雇い実部５４１が施工下地１側に基板パネル２３を押圧して、基板パネル２３が固定される。尚、基板パネル２３の上端面が、カバー目地受け部材５４ａ，５４ｂの基台部７４の上端面に比べて十分に高い位置にある場合は、第４の実施形態と同様、基板パネル２３の辺縁に雌実部を凹設するものとしてもよい。
【０１４２】
この施工下地１に固着された基板パネル２３に設けられたフック１０１ｘ，１０１ｙに、その裏面に設けられた係止部２０ｘ，２０ｙを係止させることで、化粧パネル２２が係着されることとなる。即ち、化粧パネル２２は、カバー目地受け部材５４ａ，５４ｂの基台部７４の上端面よりも上側に設置されるため、カバー目地部材５０ａ，５０ｂを取り外すことにより、縦方向にスライド可能となる。
【０１４３】
よって、施工下地１に係着されている化粧パネル２２を取り外すときは、まず、カバー目地部材５０ａ，５０ｂを取り外した後、天井面側に化粧パネル２２をスライドさせることで、係止部２０ｘ，２０ｙとフック１０１ｘ，１０１ｙとによる係止を解除することで、化粧パネル２２の取り外しが可能となる。一方、化粧パネル２２を取り付ける場合には、化粧パネル２２を床面側にスライドさせて、係止部２０ｘ，２０ｙとフック１０１ｘ，１０１ｙとを係止させることで、化粧パネル２２を基板パネル２３に係着させた後、カバー目地部材５０ａ，５０ｂを嵌入させることで、化粧パネルの取付が成される。
【０１４４】
尚、本実施形態において、建築用パネル２を取り外し可能な化粧パネル２２のみの構成とし、基板パネル２３の代わりに、フック１０１の高さをカバー目地受け部材５４ａ，５４ｂの基台部７４の上端面の高さ以上の位置まで延ばしたパネル固定用係止部材によって構成されるものとしてもよい。このような構成とすることで、化粧パネル２２の裏面とパネル固定用係止部材の固定板状部の表面との間に、空間を設けることができるため、当該空間に照明灯を設置するとともに、光透過性を有するアクリル樹脂で化粧パネル２２を構成することで、照明器具として機能させることができる。又、このとき、化粧パネル２２を容易に着脱できるため、化粧パネル２２の裏面側の空間に設置される照明灯の取り換えも簡単に行うことができる。
【０１４５】
又、本実施形態の特徴について、第１〜第３の実施形態についても適用することは可能である。即ち、第１〜第３の実施形態のように、縦方向のみのスライド、横方向のみのスライド、又は、縦方向及び横方向の両方向へのスライドにより、着脱可能な構成としてもよい。更に、カバー目地受け部材５４ａ，５４ｂや中間目地受け部材５５ａ，５５ｂに実部がないものとしてもよいし、カバー目地受け部材５４ａ，５４ｂや中間目地受け部材５５ａ，５５ｂの双方に実部を設けたものとしてもよい。
【産業上の利用可能性】
【０１４６】
本発明は、建築用パネルを複数枚敷設することによって構成する建築用パネルの取付構造であれば、天井面、床面、内壁面、外壁面などのいずれの場所に設置する取付構造においても適用可能である。
【図面の簡単な説明】
【０１４７】
【図１】（ａ）、（ｂ）は、いずれも本発明の建築用パネルの取付構造における特徴部分となる係止手段の基本構成を示す概略断面図である。
【図２】本発明の建築用パネルの取付構造を用いた建築用パネルの施工状態を示す概略正面図である。
【図３】本発明の建築用パネルの取付構造の施工手順の概要を説明するための図であり、（ａ）〜（ｄ）は、建築用パネルを施工下地面に貼付ける作業工程を示している。
【図４】本発明の建築用パネルの取付構造の施工手順の概要を説明するための図であり、（ａ）〜（ｄ）は、施工下地面に貼付けた建築用パネルに目地部材、見切り部材を取付ける作業工程を示している。
【図５】は、本発明の第１の実施形態に使用する施工下地側の係着手段の一例を示す説明図であり、（ａ）は、固定用係止部材の外観斜視図であり、（ｂ）は、その敷設状態を示す上面図である。
【図６】は、本発明の第１の実施形態に使用する建築用パネルの構成を示す外観斜視図（裏面）である。
【図７】は、本発明の第１の実施形態に係る建築用パネルの取付構造の一例を示す断面図である。
【図８】（ａ）、（ｂ）は、いずれも図７に示す建築用パネルの着脱時の状態を示す断面図である。
【図９】は、本発明の第２の実施形態に使用する施工下地側の係着手段の一例を示す説明図であり、（ａ）は、固定用係止部材の外観斜視図であり、（ｂ）は、その敷設状態を示す上面図である。
【図１０】は、本発明の第２の実施形態に使用する建築用パネルの構成を示す外観斜視図（裏面）である。
【図１１】は、本発明の第２の実施形態に係る建築用パネルの取付構造における各部の縦断面図であり、（ａ）は、建築用パネルを施工下地面に取り付けた状態における係止溝部周辺の構成を示す断面図であり、（ｂ）は、建築用パネルを施工下地面に取り付けた状態における開口部周辺の構造を示す断面図であり、（ｃ）は、建築用パネルの着脱時における開口部周辺の構成を示す断面図である。
【図１２】は、本発明の第２の実施形態に係る建築用パネルの取付構造における各部の横断面図であり、（ａ）は、建築用パネルを施工下地面に取付けた状態における係着部分周辺の構成を示す断面図であり、（ｂ）、（ｃ）のそれぞれは、建築用パネルの着脱時における係着部分周辺の構成を示す断面図である。
【図１３】は、本発明の第３の実施形態に使用する建築用パネルの一例を示す外観斜視図（裏面）である。
【図１４】は、本発明の第３の実施形態に使用する建築用パネルの別の一例を示す外観斜視図（裏面）である。
【図１５】は、本発明の第４の実施形態に係る建築用パネルの取付構造の縦断面図であり、（ａ）は、建築用パネルの係着時における係着部分周辺の構造を示す断面図であり、（ｂ）は、建築用パネルの着脱時における係着部分周辺の構造を示す断面図である。
【図１６】は、本発明の第５の実施形態に係る建築用パネルの取付構造の縦断面図であり、（ａ）は、化粧パネルの係着時における係着部分周辺の構造を示す断面図であり、（ｂ）は、化粧パネルの着脱時における係着部分周辺の構造を示す断面図である。
【符号の説明】
【０１４８】
１                      施工下地
２                      建築用パネル
３                      天井面
４                      腰壁
５                      固着具
６                      コーナーキャップ
１０                    パネル固定用係止部材（係着手段；フック）
１０ａ〜１０ｄ          パネル固定用係止部材
１１                    パネル固定用係止部材（係着手段；フック係止穴）
１１ａ                  開口部
１１ｂ                  係止溝部
２０                    係止部（係着手段；フック係止穴）
２１                    係止部（係着手段；フック）
２０ａ                  開口部
２０ｂ                  係止溝部
２０ｐ〜２０ｕ          係止部
２０ｘ，２０ｙ          係止部
２０Ｘ〜２０Ｗ          係止部
２２                    化粧パネル
２３                    基板パネル
２４                    接着剤
５０，５０ａ，５０ｂ    カバー目地部材
５１，５１ａ，５１ｂ    中間目地部材
５２                    縦見切り部材
５３                    横見切り部材
５４，５４ａ，５４ｂ    カバー目地受け部材
５５，５５ａ，５５ｂ    中間目地受け部材
５６                    縦見切り受け部材
５７                    横見切り受け部材
６４〜６７              固定板状部
７４〜７７              基台部
８４，８５              固定短片
９４，９５              係合凹部
１０１                  フック
１０１ａ〜１０１ｃ      フック
１０１ｘ，１０１ｙ      フック
１０２                  固定板状部
１０３                  折曲部
１０４                  基部
２０１，２０２          切欠部
２０３                  雌実部
２３１                  切欠部
５０１，５１１          基部
５０２                  鍔部
５０３                  係合突部
５４１                  雇い実部
【図１】
2009191537.tif 000003
【図２】
2009191537.tif 000004
【図３】
2009191537.tif 000005
【図４】
2009191537.tif 000006
【図５】
2009191537.tif 000007
【図６】
2009191537.tif 000008
【図７】
2009191537.tif 000009
【図８】
2009191537.tif 000010
【図９】
2009191537.tif 000011
【図１０】
2009191537.tif 000012
【図１１】
2009191537.tif 000013
【図１２】
2009191537.tif 000014
【図１３】
2009191537.tif 000015
【図１４】
2009191537.tif 000016
【図１５】
2009191537.tif 000017
【図１６】
2009191537.tif 000018